(57)【要約】包装容器のための、構造用基層（４）及び内層（６）を有する包装用積層品１０。本発明によると、前記内層（６）は、ヒートシール性熱可塑性材料で造られたシーリング層（２）を有し；シーリング層は、積層品（１０）の一方の側面の最外層となるように配列されており、前記容器の内側に配列されるように意図されており；前記ヒートシール性熱可塑性材料は１１５Ｊ／ｇ未満の溶融エンタルピーを示す。本発明はまた、前記包装用積層品から包装容器を製造する方法、及び該包装用積層品から製造された包装容器にも関する。【特許請求の範囲】
【請求項１】
包装容器のための、構造用基層（４）及び内層（６）を含む包装用積層品（１０）において、内層（６）は、ヒートシール性熱可塑性材料（以下、第２の熱可塑性材料という）で造られたシーリング層（２）を有し；シーリング層（２）は、積層品（１０）の一方の側面の最外層となるように配列されており、前記包装容器の内側に配列されるように意図されており；第２の熱可塑性材料は１１５Ｊ／ｇ未満の溶融エンタルピーを示す；ことを特徴とする上記包装用積層品（１０）。
【請求項２】
シーリング層（２）が、２〜１０ｇ／ｍ２、好ましくは３〜８ｇ／ｍ２、更に好ましくは少なくとも３ｇ／ｍ２であるが５ｇ／ｍ２未満の坪量を示すことを特徴とする、請求項１に記載の包装用積層品。
【請求項３】
内層（６）の第１の層（１）は、第２の熱可塑性材料と異なる第１の熱可塑性材料から成っていることを特徴とする、請求項１又は２に記載の包装用積層品。
【請求項４】
第１の層（１）は、ポリエチレン（ＰＥ）層、好ましくは低密度ポリエチレン（ＬＤＰＥ）層、更に好ましくは直鎖低密度ポリエチレン（ＬＬＤＰＥ）、最も好ましくはＣ６又はＣ８直鎖低密度層であり；第１の層（１）は、３〜３０ｇ／ｍ２、好ましくは４〜１０ｇ／ｍ２、更に好ましくは５〜８ｇ／ｍ２の坪量を示し；しかも、第１の層（１）は、シーリング層（２）と直接接触して配列されている；ことを特徴とする請求項３に記載の包装用積層品。
【請求項５】
内層（６）は熱可塑性材料で造られた第３の層（３）を含み；第３の層はポリエチレン（ＰＥ）層、好ましくは低密度ポリエチレン（ＬＤＰＥ）層であり；第３の層（３）は１０〜３０ｇ／ｍ２、好ましくは１５〜２５ｇ／ｍ２の坪量を示し、しかも、包装用積層品（１０）の構造用基層（４）と直接接触して配列されている；ことを特徴とする請求項１〜４のいずれか１項に記載の包装用積層品。
【請求項６】
内層（６）は熱可塑性材料で造られた第４の層（７）を含み；第４の層は好ましくは低密度ポリエチレン（ＬＤＰＥ）層であり；第４の層（７）はそれ自体、１〜５層の副層から成り；しかも、第４の層（７）は、５〜３０ｇ／ｍ２、好ましくは８〜２０ｇ／ｍ２、更に好ましくは１０〜１５ｇ／ｍ２の坪量を示す；ことを特徴とする請求項１〜５のいずれか１項に記載の包装用積層品。
【請求項７】
構造用基層（４）は、紙若しくは厚紙の層、又は鉱物充填済みポリオレフィンの層であって、内層（６）の少なくとも６倍、好ましくは少なくとも８倍、一層好ましくは少なくとも１０倍も厚い厚さを示す該層である；ことを特徴とする請求項１〜６のいずれか１項に記載の包装用積層品。
【請求項８】
第２の熱可塑性材料の溶融エンタルピーは、第１の熱可塑性材料の溶融エンタルピーより小さく、好ましくは内層（６）のいずれの層のいずれの熱可塑性材料の溶融エンタルピーより小さい；ことを特徴とする請求項３に記載の包装用積層品。
【請求項９】
第２の熱可塑性材料は、１０５Ｊ／ｇ未満、好ましくは９５Ｊ／ｇ未満であるが、少なくとも４０Ｊ／ｇ、好ましくは少なくとも５０Ｊ／ｇの溶融エンタルピーを示す；ことを特徴とする請求項１〜８のいずれか１項に記載の包装用積層品。
【請求項１０】
第２の熱可塑性材料は、メタロセンポリエチレン材料、好ましくはメタロセン低密度ポリエチレン材料、更に好ましくはメタロセン直鎖低密度ポリエチレン材料である；ことを特徴とする請求項１〜９のいずれか１項に記載の包装用積層品。
【請求項１１】
包装容器の製造に関連する方法において、
ａ）請求項１〜１０のいずれか１項に記載のウェブ形状包装用積層品（１０）を選定するか又は製造する工程、
ｂ）ウェブ形状包装用積層品（１０）の縦方向の２つのエッジを一部重ね合わせて、それら一部重ね合わされたエッジにヒートシールを行い、縦方向シール（３１）を与えることによって、該包装用積層品を連続的チューブ（２３）に転換する工程、
ｃ）前記チューブ（２３）に内容物を充填する工程、
ｄ）前記の充填済みチューブ（２３）を２つの横方向アンビル・ジョーの間に配列しながら、それらアンビル・ジョーと一緒に機械プレスを行うことによって、断続的に横方向シール（３２）を実現する工程、
ｅ）同時に、包装用積層品（１０）の前記横方向シール（３２）の領域にエネルギーを与える工程、
を特徴とする、上記方法。
【請求項１２】
エネルギーは、超音波エネルギーとして与えることを特徴とする、請求項１１に記載の方法。
【請求項１３】
機械プレス、及びエネルギーを与える工程は、１００〜２５０ミリ秒、好ましくは１４０〜２２０ミリ秒の時間間隔の間に行うことを特徴とする、請求項１１又は１２に記載の方法。
【請求項１４】
機械プレスは１〜１０ＭＰａで行うことを特徴とする、請求項１１〜１３のいずれか１項に記載の方法。
【請求項１５】
縦方向シール（３１）の内部継目を覆うために、好ましくはポリプロピレンストリップによって構成される連続的シールストリップ（３４）を与えることを特徴とする、請求項１１〜１４のいずれか１項に記載の方法。
【請求項１６】
請求項１〜１０のいずれか１項に記載の包装用積層品から造られている包装容器。
【請求項１７】
包装容器が、１つの縦方向シール（３１）と２つの横方向シール（３２）とを含み；それら横方向シールの各々が縦方向シール（３１）と一部重なっており、このように、該容器の内容物のための室の範囲が定められており；横方向シールは該包装容器内のそれら横方向シールと該縦方向シールのオーバーラップにおいても強固であり且つ液体不浸透性である；ことを特徴とする請求項１６に記載の包装容器。
【請求項１８】
最外層のヒートシール性の層（２）が、それ自体と一緒に圧縮されるように、包装用積層品が一緒に横方向に機械的に圧縮され；同時に、それら横方向シール（３２）の領域で包装用積層品（１０）に対してエネルギー、好ましくは超音波エネルギーが与えられる；ことによって、それら横方向シール（３２）が実現されていることを特徴とする、請求項１７に記載の包装容器。
【発明の詳細な説明】
【技術分野】
【０００１】
本発明は、（好ましくは液体食品内容物用の）包装容器のための、構造用基層及び内層を含む包装用積層品に関する。本発明はまた、前記包装用積層品から包装容器を造る方法、及び該包装用積層品から造られる該包装容器にも関する。
【背景技術】
【０００２】
（従来技術と課題）
今日の食品の包装加工［用語「食品（food）」は、あらゆる種類の、固体及び液体の食品（例えば、ペースト、スープ、ゼリー及びチーズの他、ジュース、ミルク及び他の飲み物）を意味する］はしばしば、「製袋充填（form-fill-seal）」タイプのものであり、また、連続的に移動するウェブ形状包装用積層品であって可とう性積層品で造られた該包装用積層品を成形して連続的に進むチューブにし；包装すべき所望の食品製品を該チューブに連続的に充填し；及び、シーリング（sealing）を行い、最終的に該チューブからシーリング済み包装を切り離す；ことによって実施されることがある。
それら包装加工はしばしば、高速の連続プロセスであり、該プロセスにおいて、ウェブ形状の包装用積層品は、機械によって連続的に送られ；例えば、液相又は気相の速効性殺菌用媒体を通過させることによって殺菌され；包装すべき食品を充填するのに必要なチューブ形状に形成されシーリングされ；次いで、最終的に横方向にシーリングされる。
【０００３】
連続的なウェブ形状包装用積層品は、包装用積層品製造機械で製造され；次いで、リール（reel; 巻き枠）に置かれる。該包装用積層品はしばしば、紙又は厚紙で造られた基層；そのコア（core）層の各々の側面に熱可塑性ポリマー（例えば、ポリエチレン）で造られたヒートシーリング外層；及び、必要に応じて、前記紙コア層と前記フィルムの間に挟まれたアルミニウム箔製ガスバリヤー層；を包含する積層構造を有する。もう１つの方法として、アルミニウム箔の代わりに、プラスチック又は無機材料（例えば、ポリアミド、ポリエチレンビニルアルコール（ＥＶＯＨ）又は酸化ケイ素）で造られたガスバリヤー層を使用することができる。
【０００４】
包装用積層品を備えたリールは、包装用機械に取り付ける。包装用機械において、該包装用機械の幾つかの位置に配置されている駆動機構を使用しながら、該リールは、該包装用機械内で巻き取って一定経路で送る。包装用積層品のウェブは包装用機械内で、チューブに形成し、及び、縦方向にシールする。包装用機械内で、チューブを下流方向に移動させている間、液体又は流動性の食品製品を上部から供給して、チューブ状の包装用積層品の内部に充填する。次いで、包装用積層品のチューブは、両側面から横方向に圧縮して、特定の間隔で横方向にシーリングを行って、相互に接続され、充填され、シーリングされた包装容器を形成する。次いで、シーリング済み包装容器は、横方向に伸びるシーリング済み部分の間で切断することによって、チューブから切り離し、そして、このようにして切り離した包装容器は、例えば、包装用積層品内の、前もって形成した折り目線（crease lines）に沿って折り目を付けて曲げることによって、特定の所望の形状にし；そして、所望により、その形状を保つために、最終的にシールする。
【０００５】
チューブ状包装用積層品を縦方向又は横方向にシールすることは、ヒートシール性熱可塑性物質で造られている該包装用積層品の外面を互いにヒートシーリングすることにより行う。これは、既知のヒートシーリング技術（例えば、誘導ヒートシーリング、高周波（ＲＦ）又はマイクロ波によるヒートシーリング、熱対流シーリング、又は超音波振動ヒートシーリング）により行うことができる。
このように、従来の包装用機械は、包装用積層品をシールするためのヒートシーリング装置を採用している。該ヒートシーリング装置には通常、互いに向かい合った関係に配置されて作動する、いわゆるカウンター・ジョー（counter jaws; 対向あご）とヒートシール・ジョー（heat seal jaws; 熱密封あご）とが備えられている。
【発明の開示】
【発明が解決しようとする課題】
【０００６】
横方向シールを実現する１つの好ましい方法は、該積層品内に金属層が全く存在しない場合、該積層品の２つのエッジ（edges; 縁）の一部を重ね合わせて一緒にシールへ圧縮しながらシーリング層を溶融するために、超音波エネルギーを使用し、同時に圧力を加えることである。そのような超音波振動ヒートシーリングを行う間、熱に変換される超音波エネルギーの量は、該積層品の該シール領域に加える圧力に比例する。しかし、従来の包装用積層品から造られる容器のシールが真に強固で液体不浸透性になるためには、シール機のセッティング（settings）は、非常に厳しい許容範囲で行うことが必須条件である。この許容範囲はまた、該シール機を連続的に作動する間、著しく安定していなくてはならない。これらのセッティングは、例えば、チューブ・ガイディング；シールに圧力を与えるアンビル・ジョー（anvil jaw）の動作；及び、超音波ホーンと、諸横方向シールの間のチューブを切断するための切削レールとの間の平行関係；のような諸セッティングである。これらメカニカル・セッティングの許容範囲が小さいと、加えられる圧力は、幾つかの位置で小さくなり、従って、熱に変換されるエネルギーが低くなり、生じるシールは弱くなり、液体不浸透性にはならない。また、該シーリング層に可塑性塊（plastic lump）が形成されるという問題があることがある。更に、超音波振動によるヒートシールプロセスは、従来の包装用積層品に使用する場合、それらシール領域に異物が存在するといった他の点でもあまり許容性がないことがある。もう１つの考慮すべき非常に重要な点は、包装が液体食品（例えば、ミルク、ジュース、水等）で充填されるときの積層品材料に関する必要条件である。
【０００７】
横方向シールの場合、メカニカル・セッティングの許容範囲が小さいためにシールが弱くなるという問題は、縦方向シールのオーバーラップのために、とりわけ顕著になるであろう。横方向シールと縦方向シールの間のオーバーラップにおける過剰厚さを補償するために、それらアンビル・ジョーの一方に、補償プロフィル（compensation profile）を与える。しかし、このことは、小さい許容範囲を有することがなお更に重要であることを意味する。もし、例えば、該チューブのねじれ等の、連続的なチューブ・ガイディングの問題に起因して、横方向シールと縦方向シールの間の過剰に厚いオーバーラップは、該補償プロフィルに関連してその位置がずれるならば、その圧力は、該シールのある領域において低下し、それ故に、シールの強度は悪影響を受けるであろう。シールが弱いことによって、溝（channels）が形成され、このようにして包装の漏洩が引き起こされることがある。
超音波による横方向シーリングプロセスを使用することに関連するこれらの欠点があるにもかかわらず、それは迅速なプロセスであるので、超音波による横方向シーリングプロセスを使用することは、しばしば最も望ましい。
【課題を解決するための手段】
【０００８】
（発明の簡単な説明）
本発明の目的は、超音波エネルギーによってシーリングを行う間、一般的状況に対して一層許容性のある（forgiving）包装用積層品であって、好ましくは改善された機械特性をも示す該積層品を提供することである。本目的はとりわけ、シール機のメカニカル・セッティング（mechanical settings; 機械設定）の許容範囲が小さいこと；チューブ・ガイディング（tube guiding）が悪いこと；アンビル・ジョーの動作が不安定であること；超音波ホーンと切削レール（cutting rails）の間の平行関係が悪いこと；シール領域に異物が存在すること；等の一般的状況に対して一層許容性のある包装用積層品を提供することである。
本発明の主要目的はもちろん、本発明による包装用積層品から造った包装容器に；また、該包装容器の諸横方向シールと縦方向シールの間のオーバーラップにおいても；強固で液体不浸透性の横方向シールを与えることである。
【０００９】
更に、本発明による包装用積層品は、食品用包装容器で使用するのに十分適合させることが望ましい。
これらの目的及び他の目的は、請求項１に規定する本発明の包装用積層品と、請求項１１に規定する本発明の方法と、請求項１６に規定する、包装用積層品から造られている包装容器とによって達成される。
【００１０】
本発明の一般的概念は、シーリング状況に対して非常に許容性のある包装用積層品を提供することである。このことは、ヒートシール性熱可塑性材料（ポリオレフィン）で造ったシーリング層であって前記積層品の一方の側面の最外層になるように配列されており、該容器の内側に配置されるように意図されている該シーリング層を含む内層を、包装用積層品が有しているという事実に起因している。本発明によると、このシーリング層は、ヒートシール性熱可塑性材料であって、１１５Ｊ／ｇ未満、好ましくは１０５Ｊ／ｇ未満、一層好ましくは９５Ｊ／ｇ未満てはあるが、通常少なくとも４０Ｊ／ｇ、好ましくは少なくとも５０Ｊ／ｇの溶融エンタルピー（melt enthalpy）を示す該材料である。そのような材料の諸例は、メタロセンポリエチレン材料、好ましくはメタロセン低密度ポリエチレン材料、更に好ましくはメタロセン直鎖低密度ポリエチレン材料である。そのような材料の１つの好ましい例は、ダウ（Dow）による「Affinity ＰＬ１８８０」である。同一グループにおける他の考えられる諸材料は、ダウによる他のAffinity等級のものの他に；エクソン・モービル（ExxonMobil）による「Exceed ＭＬ１０２３」；エクソン・モービルによるExact；ダウによるElite；ＪＰＯによるUmerit；及びＪＰＣによるKernel；である。
【００１１】
本発明の１つの面によると、小さい溶融エンタルピーを示すヒートシール性熱可塑性シーリング層は、内層中の隣接する熱可塑性層の溶融エンタルピーよりも一層小さい（好ましくは、内層中のあらゆる層の溶融エンタルピーよりも一層小さい）溶融エンタルピーを示す。この文脈において、「一層小さい（lower）」は、好ましくは少なくとも１０Ｊ／ｇだけ一層小さい、一層好ましくは少なくとも１５Ｊ／ｇだけ一層小さい、最も好ましくは少なくとも２０Ｊ／ｇだけ一層小さい、を意味する。基層から最外層に至る方向で異なる層を細かく調べたとき、溶融エンタルピーが各々の段階で減少するのが最も好ましい。とは言っても、幾つかの隣接する層は同一の溶融エンタルピーを有することがある。
【００１２】
ヒートシール性熱可塑性物質の性質のお陰で、包装用積層品は、従来の包装用積層品の対応する限界よりも低い最低限界（lowermost limit）を有するシーリング窓（sealing window）を示すようになっている。更に、ヒートシール性熱可塑性シーリング層を含む本発明による積層品は、広いシーリング窓、好ましくは従来の包装材料より一層広いシーリング窓を示すのが好ましい。
【００１３】
シーリング窓の概念は、当業者には周知であり、シーリングが可能であるエネルギー範囲として定義される。「低い最低限界」は、許容可能なシールが低いエネルギーレベルで生じ、それによって、今度は、超音波振動によるヒートシール装置の感度がメカニカル・セッティング及び他の一般的状況（prevailing circumstances）まで減少することを意味する。シーリング領域に沿った幾つかの地点に低圧が加えられても、熱に変換されるエネルギーは、低溶融エントロピーを有するヒートシール性熱可塑性シーリング層を溶融するには十分であり、従って、強固で液体不浸透性のシールを形成するのが可能となる。シーリング窓の最高限界が高いことは、相当なエネルギーが供給し得ることを意味する。
【００１４】
更に、内層もまた、いわゆるＣ４、Ｃ６又はＣ８の直鎖低密度ポリエチレン（Ｃ４ＬＬＤＰＥ、Ｃ６ＬＬＤＰＥ、Ｃ８ＬＬＤＰＥ）から成る層を含むのが好ましい。Ｃ４、Ｃ６及びＣ８のＬＬＤＰＥは、エチレン重合の間、コモノマーとして使用されている、少量のＣ４、Ｃ６又はＣ８のαオレフィンによって得られるポリエチレンである。好ましくはこのＣ４、Ｃ６又はＣ８のＬＬＤＰＥ層、更に好ましくはＣ６又はＣ８のＬＬＤＰＥ層は、積層品の外側から数えて第２番目の層（即ち、低溶融エンタルピーを有するヒートシール性熱可塑性材料の層と直接接触している層）である。これら２つの層を組合せれば、有利なことには意外にも、シール機のメカニカル・セッティングが偏っているにもかかわらず、著しく強固で液体不浸透性の横方向シールが生じる結果となる。
【００１５】
更に意外なことであるが、横方向シールは非常に強固であるという事実にもかかわらず、横方向シールを部分的に通過する穿孔から成る、開封装置の開封性（openability）は非常に良好であることが分かった。
【００１６】
本発明による積層品はとりわけ、超音波振動によるヒートシーリングと共に使用するのにうまく適合している。超音波振動シーリング技術の特徴は、超音波ホーンとアンビル・ジョーの間で圧力をかけられている全ての材料は、振動によって同時に加熱されることである。強固なシールが生じるためには、最外層（即ち、容器の内側に向かっている、該積層品の側にある最外層）が融点に到達すれば十分である。結果として、超音波振動によるヒートシーリングプロセスの感度を低下させて、強固で液体不浸透性の横方向シールを達成するためには、低溶融エンタルピーを有するヒートシール性熱可塑性材料で造った薄いシーリング層のみを内層に与えれば十分である。換言すれば、本発明によるヒートシール性熱可塑性物質の薄層でさえ、シーリング窓の最低限界を有効に低下させるのに十分である。
【００１７】
下記において、本発明は図面に関連して一層詳しく説明する。
【００１８】
図１は、本発明による包装用積層品１０の好ましい具体例を示している。該積層品の構造用基層は紙層又は厚紙層４から成る。しかし、構造用基層は、鉱物充填済みポリオレフィン（例えば、鉱物充填済みポリプロピレン）から成ることも考えられる。該構造用基層は、積層品１０の体積及び厚さに最も大きく寄与する層である。該包装用積層品から造られる包装容器の内側に向くように意図されている、該積層品の側面には、内層６が与えられる。内層６は、少なくとも１枚の層、好ましくは少なくとも２枚の層であって６枚までの層で造られており、図１では、４枚の層で造られている。構造用基層４は通常、前記内層６の少なくとも６倍、好ましくは少なくとも８倍、更に好ましくは少なくとも１０倍も厚い厚さを示す。換言すれば、該構造用基層は、少なくとも２００μｍ、好ましくは少なくとも２５０μｍ、更に好ましくは少なくとも３００μｍの厚さを有する。
【００１９】
内層６の第１の層１は、第１の熱可塑性材料（ポリオレフィン）から成る。前記第１の層は、ポリエチレン（ＰＥ）層、好ましくは低密度ポリエチレン（ＬＤＰＥ）層、更に好ましくは直鎖低密度ポリエチレン（ＬＬＤＰＥ）層であって、３〜３０ｇ／ｍ２、好ましくは４〜１０ｇ／ｍ２、更に好ましくは５〜８ｇ／ｍ２の坪量（grammage）を示すものが適している。本発明によると、前記第１の層は、いわゆるＣ４、Ｃ６又はＣ８ＬＬＤＰＥ層であるのがとりわけ好ましく、最も好ましいのはＣ６又はＣ８ＬＬＤＰＥ層である。
【００２０】
本発明によると、前記内層６はまた、第２の層２をも有している。第２の層２は、シーリング層（sealing ply）２のことでもあり、ヒートシール性の第２の熱可塑性材料（ポリオレフィン）で造られている。この第２の層は、包装容器の内側に向くように意図されている該積層品の側面の最外層となるように配置されている。第２の層２の第２の熱可塑性材料は、第１の熱可塑性材料と異なっており、上記に従って小さい溶融エンタルピーを示す。強固なシールを生じさせるためには、最外層２がその融点に到達すれば十分であるという事実により、第２の層２は、１０ｇ／ｍ２より大きな坪量を示す必要はない。第２の層２は、好ましくは２〜１０ｇ／ｍ２、更に好ましくは３〜８ｇ／ｍ２の坪量を有する。５ｇ／ｍ２未満程の薄い層でさえも考えることができるかも知れない。
【００２１】
本発明の１つの面によると、内層６は、熱可塑性材料（ポリオレフィン）で造られた第３の層３をも有する。第３の層もまた、ポリエチレン（ＰＥ）層、好ましくは低密度ポリエチレン（ＬＤＰＥ）層であり；しかも、１０〜３０ｇ／ｍ２、好ましくは１５〜２５ｇ／ｍ２の坪量を示す；のが適切である。第３の層３は、包装用積層品１０の中の第１の層１と構造用基層４のの中間に配列されている。
更に、内層（６）は、熱可塑性材料で造られた第４の層（７）をも有することがある。第４の層は、低密度ポリエチレン（ＬＤＰＥ）層であるのが好ましい。しかし、第４の層は、直鎖の低密度ポリエチレン（ＬＬＤＰＥ）層であることも考えられる。描かれていないが、第４の層７はそれ自体、同一材料で造られた１〜５枚の副層から成る場合がある。第４の層７は、５〜３０ｇ／ｍ２、好ましくは８〜２０ｇ／ｍ２、更に好ましくは１０〜１５ｇ／ｍ２の全坪量を示す。第４の層７は、該積層品１０の中の第２の層２の反対側で（即ち、第１の層１と第３の層３の中間で）第１の層１と直接接触した状態で配列されている。
【００２２】
第２の層２の有益な特性のために、第１の層１、第３の層３及び第４の層７の坪量は減少させることができ、従って、第２の層２の材料が比較的高価であるために増大するコストが低減されることは、本発明の１つの利点である。
包装容器の外側を形成するように意図されている、積層品１０の側面には、装飾層５を配列する。装飾層５はポリエチレン（ＰＥ）層、好ましくは低密度ポリエチレン（ＬＤＰＥ）層から成るのが好ましく、また、装飾層５は５〜２５ｇ／ｍ２、好ましくは８〜２０ｇ／ｍ２の坪量を示す。
【００２３】
本発明による包装用積層品１０を製造する場合、装飾層５を包含する基層４は、１つのリール（reel; 巻き枠）の上にウェブとして与える。熱可塑性材料で造られた第２の層２及び第４の層７と一緒に、熱可塑性材料で造られた第１の層１を包含するフィルムを、もう１つのリールの上に与える。２つのリール上の諸材料の間の積層は、従来のラミネート加工機によって、ウェブとフィルムの中間に押し出される、熱可塑性材料で造られた第３の層３によって行うのが好ましい。熱可塑性材料で造られた、第１の層１、第２の層２及び第４の層７を包含する三枚重ねフィルムは、例えば、押出しブロンフィルム（extrusion blown film）又は押出しキャストフィルム（extrusion cast film）の形態で製造してもよい。本発明による包装用積層品を製造するもう１つの技術は、好ましくは同時押出し（coextrusion）技術によって、基層に、別個の複数の層の内層６で押出しコーティングを行うことである。
【００２４】
内層の中の別個の諸層及び前記積層品は、直接的又は間接的に、互いに向かい合うそれら表面の本質的に全体に渡って、互いに接合するのが適している。しかし、第２の熱可塑性材料で造られた２番目の層であって、横方向シール（transversal seal）が形成される予定の積層品の領域にのみ配置される２番目の層、即ち、ストリップ（strip; 細片）又は部分的層（partial ply）の形態の２番目の層を使用することも可能であるかも知れない。
本発明による包装用積層品はとりわけ、上述の諸層は別として、如何なる追加の層をも含有しないように開発されているものの、好ましくはないが、他のタイプの層（例えば、障壁層）も存在することはもちろんあり得る。
【００２５】
図２に関し、ウェブ形状可とう性の包装用積層品１０は、リール２１として包装用機械に取り付ける。該包装用機械において、該包装用機械の幾つかの位置に配置されている（特に描かれてはいない）駆動機構を使用しながら、積層品１０は該包装用機械内でリールから繰り出して送られる。包装用積層品１０は、ガイド２２によって誘導され、（特に描かれてはいない）シーリング装置によって縦方向にシールされ、そして、チューブ２３に形成される。チューブ２３が包装用機械内の下流方向に移される間、液体製品又は流動性製品が、該チューブの内部を充填するための充填パイプ（filler pipe）２４を通って、上部から供給される。次いで、該チューブの包装用積層品は、（特に描かれてはいない）カウンタージョー（counter jaw）及びヒートシーリングジョー（heat sealing jaw）を用いて両側面から横方向に圧縮されて、筒状の包装用積層品は特定の間隔で横方向にシーリングされ、その結果、相互連結され充填されシーリングされた、枕形状（pillow-shaped）包装容器が形成されることとなる。次いで、シーリング済み包装容器は、横方向に伸びたシーリング済み部分の間を切断することによって、別個の枕形状の一次容器（primary containers）２５として、該チューブから分離される。
【００２６】
図３には、図の平面から伸びる縦方向シール（longitudinal seal）３１と、図の平面内で伸びている横方向シール３２との間にあるオーバーラップ（overlap; 一部重なり合い部分）が、断面図で示されている。ここに、縦方向シール３１によって形成されるチューブ（tube; 管）は一緒に圧縮されて、現在、チューブの内側に配列されている２つの第２の最外層２が互いに向かい合うようになる。シーリングストリップ（sealing strip）３４は、縦方向シールの内部継目３３の全面に渡って配列されている。このシーリングストリップは、ポリプロピレン製ストリップによって構成されるのが好ましい。標準的な横方向シールのための最も重要な領域は、区画１（ｚ１）及び区画２（ｚ２）と呼ぶ。これらの領域で超音波振動によるヒートシーリングプロセスに関連して加えられる圧力が重要である。なぜなら、縦方向シール３１のオーバーラップの領域において積層品の２枚の層と３枚の層の間に厚さのステップ（steps; 段差）が存在するためである。これらのステップを補償するために、アンビル・ジョー４０には、従来において、及び本発明に関連しても好ましく、図４に示すような補償プロフィル（compensation profile）４１が与えられる。補償プロフィルは基本的にリセス（recess; 凹部）から成る。リセスは、図３に示すように、オーバーラップの幅（ｗ）に対応するように改造されたエッジ（edges; 縁）を有する。アンビル・ジョーに対する、チューブの位置（又は回転）は、図３のｄの値によって規定される。ｄは、補償プロフィル４１の中央における、アンビル・ジョー４０上の合いマーク設定Ｘと、区画１の厚さのステップとの間の距離である。ｄで判断される、チューブの位置（従って、オーバーラップの位置）が、補償プロフィル４１に対して不十分に合わされていると、結果として得られる圧力は、ｚ１及び（又は）ｚ２の領域において低くなるであろう。しかし、本発明に関連して、本発明による許容性のある包装用積層品１０の組成のお陰で、とにかく強固で液体不浸透性のシール３２が、非常に有利に造られる。
【００２７】
横方向シーリングプロセスは、２つのアンビル・ジョーの間で、チューブを一緒に機械的に圧縮するのと同時に、エネルギー、好ましくは超音波エネルギーを供給することによって行う。それらアンビル・ジョーの一方には、超音波ホーン（ultrasonic horns）を与えるのが適切である。これら超音波ホーンは、超音波エネルギーを供給するために、当て盤（holder-on）としての他方のアンビル・ジョーと共にチューブを圧縮するように配置されている。圧縮及びエネルギーの供給は通常、１００〜２５０ミリ秒、好ましくは１４０〜２２０ミリ秒の時間間隔の間、１〜１０ＭＰａの圧力で行う。
【００２８】
（例）
以下の例では、本発明による３種の異なる積層品の試験を行い、また、従来のタイプの１種の対照積層品についても試験を行った。それら積層品は、表１に明記する。Ｌ１及びＬ２は、フィルムを厚紙／装飾層と一緒に積層することによって造っておいた。Ｌ１のフィルムは、上記の説明に従って、第１の層、第２の層及び第４の層から成った。Ｌ２のフィルムは、第２の層及び第４の層から成った。対照及びＬ３の積層品は、押出しコーティングによって造っておいた。表１において、それら層の番号付けは、図１に示す番号付けに従う。表１から明らかなように、本発明による積層品の内層は、異なる数の層を有することがある。このことは、第１の層１、第４の層７又は第３の層３が、第２のシーリング層２と直接接触した状態で配列されている層であってもよいことを意味する。
【００２９】
2004528235.tif 000002
【００３０】
図５において、対照積層品に関する、縦方向シールと一部重なる横方向シールの力・伸び曲線（即ち、最大引張り荷重）を例示する。Ｌ１に関する対応曲線を打点する。理解し得るように、対照に比べて、Ｌ１のシールの力は著しく改善されている。このことは、低溶融エンタルピーのシーリング層と、強固なＣ６ＬＬＤＰＥ中間層との有利な組合せに起因すると考えることができる。
【００３１】
表２には、試験を行い、赤色インクの漏れとして測定した、１０５０個の試料の頂部シール及び底部シールの欠陥率を示す。理解し得るように、Ｌ１、Ｌ２及びＬ３の積層品から造った諸容器の底部シールには、欠陥が全く存在しなかったのに対して、対照積層品から造った容器では、底部シールの２．６％が漏洩した。頂部シールにおける効果は同等に著しくはなかったものの、少なくともＬ１及びＬ３は、対照積層品に比べて遥かに良好であった。
【００３２】
2004528235.tif 000003
【００３３】
図６には、本発明による３種の積層品及び対照積層品から造った種々の包装容器について、アンビル・ジョー（anvil jaw; 金敷あご）に関連するチューブの位置の関数としての、結果として得られた、区画１における横方向シールの幅を示す。Ｘ軸上のｄの値が小さければ小さい程、位置決めは悪くなる。ｄの定義に関しては、図３及び関連記述を参照のこと。少なくともＬ１及びＬ３については、対照と比べて、遥かに悪い位置決めが許されることが分かる。
【００３４】
図７に、諸例において試験を行った積層品のシーリング窓（sealing window）を示す。ここに、積層品Ｌ１及びＬ３が本発明の最良の具体例であることが確認される。なぜなら、これら積層品は、シーリング窓が最低の下限値と、比較的広いシーリング窓とを示すからである。
しかし、本発明は、好ましい具体例の記載によって限定されないが、特許請求の範囲内で変化することができる。
【図面の簡単な説明】
【００３５】
【図１】図１は、断面図で分かるように、本発明による包装用積層品の好ましい具体例を示している。
【図２】図２は、包装用積層品の連続的ウェブからチューブを形成する従来の方法と；横方向シーリング工程を包含して、更に包装容器を形成する方法と；を説明する。
【図３】図３は、断面図で分かるように、縦方向シールと横方向シールの間のオーバーラップを示している。
【図４】図４は、斜視図で分かるように、密封処理のための従来のアンビル・ジョー（anvil jaw）を示している。
【図５】図５は、対照の容器と比べた、本発明による包装容器の諸横方向シールの力−伸び曲線を示している。
【図６】図６は、アンビル・ジョーに対するチューブの位置の関数としての、種々の包装容器の、結果として得られた横方向シールの幅を示している。
【図７】図７は、試験を行った諸積層品のためのシーリング窓を示している。
【図５】
2004528235.tif 000004
【図６】
2004528235.tif 000005
【図７】
2004528235.tif 000006
【国際公開パンフレット】
2004528235.tif 000007
2004528235.tif 000008
2004528235.tif 000009
2004528235.tif 000010
2004528235.tif 000011
2004528235.tif 000012
2004528235.tif 000013
2004528235.tif 000014
2004528235.tif 000015
2004528235.tif 000016
2004528235.tif 000017
2004528235.tif 000018
2004528235.tif 000019
2004528235.tif 000020
2004528235.tif 000021
2004528235.tif 000022
2004528235.tif 000023
2004528235.tif 000024
2004528235.tif 000025
2004528235.tif 000026
2004528235.tif 000027
2004528235.tif 000028
【国際調査報告】
2004528235.tif 000029
2004528235.tif 000030
2004528235.tif 000031
2004528235.tif 000032